(57)【要約】      （修正有）【課題】底蓋を着脱自在としたハメ込み底蓋を設けた犬のフン取り器とすることで、ポリ袋なしで犬のフンの取除き、及び、その処理ができる犬のフン取器を提供する。【解決手段】寄せ板３とクリップＡ５を一体化した寄せ板部と、クリップＢ１７と寄せ受け筒１３を一体化した寄せ受け筒部を、バネ１８で合体して、犬のフン取り器を構成する。使用に当たっては、クリップ５，１７をつまんで、寄せ板３と寄せ受け筒１３の間を広げる。この間に犬のフンが来るように、該フン取器を移動させ、つまんだ手をゆるめると、バネ１８の力で寄せ板が犬のフンを受け筒１３の中に取り込む。【選択図】図１
0003149493.tif 000002
【実用新案登録請求の範囲】
【請求項１】
１．袋止め接着テープＡ（１）を、取り付けた、穴Ａ（２）のある、寄せ板（３）と、掛け穴（４）のある、クリップＡ（５）を、一体化した  寄せ板部。
２．切り込み口（６）と、底蓋ハメ込み溝（７）のある、袋止め軸（８）と、袋掛けズレ止め軸Ａ（９）と、袋掛けズレ止め軸Ｂ（１０）と、底蓋抜け止め（１１）のある、袋ささえ（１２）を、一体化した、寄せ受け筒（１３）と、ストラップ（１４）を、取り付けた、掛け金（１５）を、掛け金取り付け穴（１６）に、取り付けた、クリップＢ（１７）を、一体化した、寄せ受け筒部。
３．寄せ板（３）と、クリップＡ（５）を、一体化した、寄せ板部と、クリップＢ（１７）と、寄せ受け筒（１３）を、一体化した、寄せ受け筒部を、バネ（１８）で、合体して、穴Ｂ（１９）に、袋止め接着テープＢ（２０）を、取り付け、ハメ込み受け（２１）のある、底蓋（２２）を、袋ささえ（１２）にある、底蓋抜け止め（１１）と、袋止め軸（８）にある、底蓋ハメ込み溝（７）に、ハメ込み、取り付ける。以上の如く、構成された、ハメ込み底蓋付き犬のフン取り器。
【考案の詳細な説明】
【技術分野】
【０００１】  本考案は、犬を、散歩させる時、路上、公園、広場、（原ぱ）等に、フンを、した時や、庭、犬小屋回りに、フンを、した時、フン取り器で、犬のフン取り除き処理、作業をする、犬のフン取り器に関するものである。
【背景技術】
【０００２】  従来の犬のフン取り除き、処理、作業で使用していた、犬のフン取り器（出願番号−実願−２００６−００５５４４−実用新案登録証−登録第３１２４４９９１号−考案の名称−犬のフンハサミ寄せ取り器）又は、（出願番号−実願−２００７−００９７５４−実用新案登録証−登録第３１４１２５２号−考案の名称−親子袋を取り付けた犬のフン取り器）では、本考案の様に、寄せ受け筒に、フン受けの、底蓋が、なかったので、ポリ袋を、取り付け、使用して、寄せ受け筒の、底受け蓋にしていた。そのポリ袋の中に、フンの取り込みをして、フンの、取り除き、処理、作業をしていた。よって、従来は、ポリ袋の、取付けが、ないと、犬のフンの、取り除き、処理、作業が、出来なかった。
【考案の開示】
【考案が解決しようとする課題】
【０００３】  従来の、犬のフン取り器は、次の様な、欠点があった。
１．犬の、フン取り器に、ポリ袋の、取り付けが、ないと、犬の、フン取り除き、処理が、出来なかった。よって、ポリ袋を、フン取り器に、取り付けなくても、フンの、取り除き、処理、作業が、出来る様に。
【課題を解決するための手段】
【０００４】  本考案は、以上の課題を解決するために。
１．本考案の、底蓋（２２）を、底蓋抜け止め（１１）に、掛けて、袋掛けズレ止め軸Ｂ（１０）と、底蓋ハメ込み溝（７）に、押し込み、ハメて、底蓋（２２）を、取り付ける。取り付けた、場合は、ポリ袋を、取り付けなくても、犬の、フンの、取り除き、処理、作業が、出来る様にした。
【考案の効果】
【０００５】１．本考案は、底蓋（２２）を、ハメ込み、取り付ける、事により、ポリ袋を、取り付け、使用を、しなくても、犬の、フンの、取り除き、処理、作業が、出来る様になった。
２．尚、本考案は、ポリ袋も、取り付ける、事が、出来る様に、なっているので、ポリ袋を、取り付け、使用して、犬用、フン取り器を、汚さない様に、カバーして、ポリ袋の、中に、犬のフンを、取り込む、事も出来る。
３．以上の使用、方法で、小型犬で、フンが、少量の場合は、本考案の、底蓋（２２）を、取り付けた、犬の、フン取り器で、フン取り、処理が出来る。
そして、大型犬で、フンが、多量の場合は、犬の、フン取り器から、本考案の、底蓋（２２）を、取り、外して、ポリ袋を、フン取り器に、取り付け、使用して、ポリ袋の中に、犬のフンを、取り込み、フンの、取り除き、処理、作業が出来る。
よって、両方の、使い分けが、出来る。
【考案が実施するための最良の形態】
【０００６】  以下、本考案の、実施するための形態に、ついて、説明する。
１．袋止め接着テープＡ（１）を、取り付けた、穴Ａ（２）のある、寄せ板（３）と、掛け穴（４）のある。クリップＡ（５）を、一体化した、寄せ板部。
２．切り込口（６）と、底蓋ハメ込み溝（７）のある。袋止め軸（８）と、袋掛けズレ止め軸Ａ（９）と、袋掛けズレ止め軸Ｂ（１０）と、底蓋抜け止め（１１）のある。袋ささえ（１２）を、一体化した、寄せ受け筒（１３）と、ストラップ（１４）を、取り付けた、掛け金（１５）を、掛け金取り付け穴（１６）に、取り付けた、クリップＢ（１７）を、一体化した、寄せ受け筒部。
３．寄せ板（３）と、クリップＡ（５）を、一体化した、寄せ板部と、クリップＢ（１７）と、寄せ受け筒（１３）を、一体化した、寄せ受け筒部を、バネ（１８）で、合体して、穴Ｂ（１９）に、袋止め接着テープＢ（２０）を取り付け、ハメ込み受け（２１）のある。底蓋（２２）を、袋ささえ（１２）にある。底蓋抜け止め（１１）と、袋止め軸（８）にある。底蓋ハメ込み溝（７）に、ハメ込み、取り付ける、以上の如く、構成された。ハメ込み底蓋付き犬のフン取り器。
４．これを、使用する時は、本考案の、犬のフン取り器の、クリップＡ（５）と、クリップＢ（１７）の、ツマミを、手に、持って、力を入れ、つまんで、寄せ板（３）と、寄せ受け筒（１３）の、間を、広げる。広くした、間に、犬がした、フンの、位置が、なる様、に、持って行き、ツマミを、つまんだ、力を、ゆるめると、クリップの、バネ（１８）の、力で、寄せ板（３）が、犬のフンを、ハサミ寄せて、寄せ受け筒（１３）の中に、寄せ入れ、取り込んで、寄せ板（３）で、蓋をした、本考案の、犬のフン取り器を、手で持ち上げてから、取り込んだ、犬のフンを、処理する。
５．次に、本考案の、ハメ込み底蓋付き犬のフン取り器の、寄せ板（３）と、寄せ受け筒（１３）を、ポリ袋の中に、入れて、寄せ受け筒（１３）の、筒の中に、ポリ袋を、手で、押し入れて、袋止め接着テープＢ（２０）に、ハリ止めして、フン取り込み袋を、作り、寄せ受け筒（１３）を、カバーする。
次に、寄せ板（３）を、入れた、ポリ袋を、袋止め接着テープＡ（１）に、ハリ止めて、寄せ板（３）を、カバーしてから、犬の、フン取り器に、犬のフンを、取り込みを、した後、ポリ袋の、裏、返えし、取りして、フンの、取り除き、処理、作業すると、本考案の、ハメ込み底蓋付き犬のフン取り器に、犬の、フンの、付着、汚れの、防止が出来る。
【図面の簡単な説明】
【０００７】
【図１】  本考案の斜視図である。
【図２】  本考案の底蓋（２２）の正面図である。
【符号の説明】
【０００８】  １  袋止め接着テープＡ
２  穴Ａ
３  寄せ板
４  掛け穴
５  クリップＡ
６  切り込み口
７  底蓋ハメ込み溝
８  袋止め軸
９  袋掛けズレ止め軸Ａ
１０  袋掛けズレ止め軸Ｂ
１１  底蓋抜け止め
１２  袋ささえ
１３  寄せ受け筒
１４  ストラップ
１５  掛け金
１６  掛け金取り付け穴
１７  クリップＢ
１８  バネ
１９  穴Ｂ
２０  袋止め接着テープＢ
２１  ハメ込み受け
２２  底蓋
【図１】
0003149493.tif 000003
【図２】
0003149493.tif 000004
【手続補正書】
【提出日】平成20年12月29日(2008.12.29)
【手続補正１】
【補正対象書類名】実用新案登録請求の範囲
【補正対象項目名】全文
【補正方法】変更
【補正の内容】
【実用新案登録請求の範囲】
【請求項１】
１．筒の前面に、袋止め接着テープＡ（１）を取り付けた穴Ａ（２）のある寄せ板（３）と、掛け穴（４）のあるクリップＡ（５）を一体化したもので開口部を開閉する、寄せ板部。
２．筒背部の上面に切り込み口（６）と底蓋ハメ込み溝（７）のある袋止め軸（８）と袋掛けズレ止め軸Ａ（９）を設け、筒背部の左右側面下に袋掛けズレ止め軸Ｂ（１０）を設け、筒背部の下面に底蓋抜け止め（１１）と袋ささえ（１２）を設け、それぞれに一体化した寄せ受け筒（１３）とストラップ（１４）を取り付けた、掛け金（１５）を掛け金取り付け穴（１６）に取り付けたクリップＢ（１７）を一体化した寄せ受け筒部、
３．寄せ板部のクリップＡ（５）と寄せ受け筒部のクリップＢ（１７）とを対向させてバネ（１８）で合体してクリップを形成し、穴Ｂ（１９）に袋止め接着テープＢ（２０）を取り付け、ハメ込み受け（２１）のある底蓋（２２）を袋ささえ（１２）にある底蓋抜け止め（１１）と袋止め軸（８）にある底蓋ハメ込み溝（７）にハメ込み取り付ける、
以上の如く構成された、ハメ込み底蓋付き犬のフン取り器。